(57)【特許請求の範囲】
【請求項１】
底面（２）から立ち上がった周側面（３）の上周縁に外折れ鍔部（５）を形成し、この外折れ鍔部（５）の内側に凹段部（４）を有する容器本体（１）と、
天面（８）から下り傾斜した周側面（９）の下周縁にＵ字状に外折れしていて前記凹段部（４）に嵌合する嵌合縁部（１０）を有する蓋（７）とからなる圧空真空成型の包装用容器において、
蓋（７）の隅部に外方へ摘み片（１２）を延設し、容器本体（１）の鍔部（５）の隅部位には、蓋嵌合状態で摘み片（１２）の下側に当接し摘み片（１２）を上方に撓ませ得る上方突条（６）を、摘み片（１２）の延出方向と交差方向に形成し、
容器本体（１）の鍔部（５）の上面を内外段違い状に形成し、その内側部分は外側部分の凸面（５ａ）に対して低い凹面（５ｂ）となすとともに隅部には凸面（５ａ）を分断して摘み片（１２）の幅以上の幅の隅凹面（５ｃ）を形成し、この隅凹面（５ｃ）内に前記上方突条（６）を形成し、
蓋（７）の嵌合縁部（１０）の上端周縁に外側へ水平状に折れていて前記凹面（５ｂ）に接面する縁辺（１１）を形成してなる構成を有する包装用容器。
【請求項２】
摘み片（１２）内に下方突起（１２ａ）を形成した構成を有する請求項１に記載の包装用容器。
【発明の詳細な説明】
【０００１】
【発明の属する技術分野】
本発明は、圧空真空成型の包装用容器であり、容器本体の周縁に形成した鍔部の内側に蓋を嵌合するいわゆる内嵌合容器の蓋を外しやすくした容器に関する。
【０００２】
【従来の技術】
従来の圧空真空成型の内嵌合容器は、蓋と容器本体の嵌合部分を若干の逆テーパ状に形成して、蓋を圧嵌させる構成としてある。このため、蓋が外れにくいので、蓋の隅に摘み片を延設し、この摘み片を摘んで蓋を上方に引っ張り上げることにより、蓋を外しやすくすいようにしてある。
【０００３】
【発明が解決しようとする課題】
しかしながら、蓋の周縁は成型後水平シート面から打ち抜かれるので、延設された摘み片は水平状態に形成され、被蓋状態では容器本体の鍔面に接合した状態となってしまっていた。従って、開蓋しようとして摘み片を摘もうとしたときに、鍔面に接合状態となった摘み片を爪を立てて幾度か引き剥がしつつ摘もうとしなければならないなど、摘み片が摘みにくく、開蓋操作が円滑にできにくい問題点があった。
本発明は、このような問題点を解消すべくなしたものであり、内嵌合容器であっても蓋を外しやすくするために、摘み片と容器本体の鍔部の構成を工夫した包装用容器を提供せんとするものである。
【０００４】
上記課題を解決するために、本発明は、底面から立ち上がった周側面の上周縁に外折れ鍔部を形成し、この鍔部の内側に凹段部を有する容器本体と、天面から下り傾斜した周側面の下周縁にＵ字状に外折れしていて前記凹段部に嵌合する嵌合縁部を有する蓋とからなる圧空真空成型の包装用容器において、蓋の隅部に外方へ摘み片を延設し、容器本体の鍔部の隅部位には、蓋嵌合状態で摘み片の下側に当接し摘み片を上方に撓ませ得る上方突条を、摘み片の延出方向と交差方向に形成し、容器本体の鍔部の上面を内外段違い状に形成し、その内側部分は外側部分の凸面に対して低い凹面となすとともに隅部には凸面を分断して摘み片の幅以上の幅の隅凹面を形成し、この隅凹面内に前記上方突条を形成し、蓋の嵌合縁部の上端周縁に外側へ水平状に折れていて前記凹面に接面する縁辺を形成して包装用容器を構成したことを特徴とする。
摘み片内には下方突起を形成するのが好ましい。
【０００５】
【発明の実施の形態】
本発明の実施の一例を図によって以下に説明する。
容器本体１は、底面２から立ち上がった周側面３の上端部に段違い部を設け、この段違い部は、蓋７の嵌合縁部１０が嵌合可能なように、嵌合縁部の下面と当接する水平状面と嵌合縁部の外側面に接合する若干逆テーパ状面の立ち上がり外側面を有した凹段部４として形成し、この上側に外折れした鍔部５を形成し、鍔部５は、その上面を内外段違い状に形成し、内側部分は外側部分の凸面５ａよりも若干低い凹面５ｂとなし、対向二隅部（図示）若しくは四隅部の鍔上面は両側辺の凸面５ａ，５ａを分断して摘み片１２の幅と略同じか以上の幅を持った隅凹面５ｃを形成し、この隅凹面５ｃの内側沿いに上方突条６を、摘み片１２の延出方向と交差方向に好ましくは両側凸面５ａ，５ａ端に亘って形成した構成を有して形成してある。上方突条６の高さは凸面５ａと略同じか若干低い高さが望ましい。
【０００６】
蓋７は、天面８から下り傾斜した周側面９の下周縁にＵ字状に外折れした嵌合縁部１０を形成し、この嵌合縁部１０は、上記凹段部４の水平状面と当接する下面と凹段部の外側面に接合する若干逆テーパ状の外側面を有して設け、この外側面の上端を外側に略水平状に折曲して、上記凹面５ｂに接合する縁辺１１を形成し、対向二隅部（図示）、或いは一隅部乃至四隅部の縁辺外側に上記隅凹面５ｃ内に納まる大きさの摘み片１２を延設し、この摘み片１２には若干下方突出の突起１２ａが上方突条６に当接可能に形成してある。
上記突起１２ａは、図２，４の如く、摘み片の面内に小突起を多数形成してもよく、図５，６に示す如く、面内に大きめに一個設けるようにするなどしてもよい。
また、図５，６のように摘み片１２の先端部分１２ｂをより一層摘みやすくするために若干上側に浮くように折曲形成してもよい。
【０００７】
なお、上記嵌合縁部１０のＵ字状形状は断面円弧状、上向きコの字状、その他の形状であってもよい。嵌合縁部１０と凹段部４の若干の逆テーパ状部分は隅部付近に設けるようにするのがもっとも好ましいが、全周に形成してもよく、各辺の一部に設けてもよい。
【０００８】
【発明の効果】
本発明は、上記構成とすることにより、内嵌合構成の容器において、蓋の隅部に摘み片を延設し、これを容器本体の隅部に形成した凹面部分に合わせるように形成してあっても、摘み片が上方突条に当接し、その先端方向が容器本体の鍔面から浮き上がった状態で閉蓋できるので、摘み片を簡単にかつ確実に摘みやすく、開蓋が容易となる。
摘み片に下方突起を設ければ、上方突条と下方突起のいずれか或いは両方の突出程度をより少なく形成することができる。
鍔面の内側を凹面とし、隅部を隅凹面とすることにより、蓋の縁辺の収まりがよく、確実な閉蓋ができ、かつ摘み片のみ極端に上外方に突出して引っ掛かりやすく或いは邪魔になることを防ぐことができる。
【図面の簡単な説明】
【図１】  本発明の要部を分解状態で示し、容器本体部分は上方から蓋は下方から見た斜視図である。
【図２】  図４のＩＩ―ＩＩ線部分断面図である。
【図３】  本発明に係る包装用容器の開蓋状態斜視図である。
【図４】  包装用容器の閉蓋状態の平面図である。
【図５】  摘み片部分の別の一例を示す部分平面図である。
【図６】  図５のＶＩ−ＶＩ線切断部端面図である。
【符号の説明】
１      容器本体
２      底面
３      側面
４      凹段部
５      鍔部
５ａ    凸面
５ｂ    凹面
５ｃ    隅凹面
６      上方突条
７      蓋
８      天面
９      側面
１０    嵌合縁部
１１    縁辺
１２    摘み片
１２ａ  突起
１２ｂ  先端部分
【図１】
0004519999.tif 000002
【図２】
0004519999.tif 000003
【図３】
0004519999.tif 000004
【図４】
0004519999.tif 000005
【図５】
0004519999.tif 000006
【図６】
0004519999.tif 000007